(57)【特許請求の範囲】
【請求項１】
第１及び第２の携帯端末装置間で近距離無線通信又は非接触ＩＣ通信にてデータ交換を行うデータ交換方法において、
データ交換を行う前記第１及び第２の携帯端末装置のそれぞれで複数の相互交換する情報の種類の相互交換用データを記憶部に予め記憶する第１のステップと、
前記第１の携帯端末装置において相互交換用データの送信前に、送信する相互交換用データの相互交換する情報の種類を入力する第２のステップと、
前記第１の携帯端末装置が、送信開始指示により前記第１のステップで記憶した相互交換用データの中から、前記第２のステップで入力した前記種類に応じた相互交換用データを選択して送信する第３のステップと、
前記第３のステップで送信された前記相互交換用データを前記第２の携帯端末装置が受信して記憶すると共に、受信した前記相互交換用データの具体的なデータ内容を示すデータ形式を判別する第４のステップと、
前記第２の携帯端末装置が前記第１のステップで記憶した相互交換用データの中から、前記第４のステップで判別した前記データ形式と同じデータ形式の相互交換用データを取得して前記第１の携帯端末装置へ応答送信する第５のステップと、
前記第５のステップで応答送信された前記第２の携帯端末装置の相互交換用データを前記第１の携帯端末装置が受信して記憶する第６のステップと
を含むことを特徴とするデータ交換方法。
【請求項２】
前記第１のステップは、前記第１及び第２の携帯端末装置の初期設定時に前記相互交換用データを予め用意して記憶するステップであることを特徴とする請求項１記載のデータ交換方法。
【請求項３】
前記第４のステップ及び前記第６のステップによる、受信した相互交換用データの記憶は、前記第１のステップで前記相互交換用データを予め記憶する記憶部とは異なる、データ交換用とは無関係なデータを保存する記憶部に記憶することを特徴とする請求項１記載のデータ交換方法。
【請求項４】
前記第１の携帯端末装置において、前記第３のステップによる前記相互交換用データの送信完了後に、自動的にデータ受信待ちに切り替わるステップを含むことを特徴とする請求項１記載のデータ交換方法。
【請求項５】
第１及び第２の携帯端末装置間で近距離無線通信又は非接触ＩＣ通信にてデータ交換を行うデータ交換システムにおいて、
前記第１の携帯端末装置は、
複数の相互交換する情報の種類の第１の相互交換用データを予め第１の記憶部に記憶する第１の記憶手段と、
相互交換用データの送信前に、送信する相互交換用データの相互交換する情報の種類を選択入力する入力手段と、
送信開始指示により、前記第１の記憶部に記憶した前記第１の相互交換用データの中から、前記入力手段で選択入力した前記種類に応じた相互交換用データを選択して送信する第１の送信手段と、
前記第２の携帯端末装置から送信された相互交換用データを受信する第１の受信手段と、
前記第１の受信手段で受信した前記相互交換用データを第２の記憶部に記憶する第２の記憶手段と
を有し、
前記第２の携帯端末装置は、
複数の相互交換する情報の種類の第２の相互交換用データを予め第３の記憶部に記憶する第３の記憶手段と、
前記第１の携帯端末装置から送信された前記相互交換用データを受信する第２の受信手段と、
前記第２の受信手段で受信した前記相互交換用データを第４の記憶部に記憶する第４の記憶手段と、
前記第２の受信手段で受信した前記相互交換用データの具体的なデータ内容を示すデータ形式を判別するデータ判別手段と、
前記第３の記憶部に記憶した前記第２の相互交換用データの中から、前記判別手段で判別した前記データ形式と同じデータ形式の相互交換用データを取得して前記第１の携帯無線端末装置へ応答送信する第２の送信手段と、
を有することを特徴とするデータ交換システム。
【請求項６】
前記第１及び第３の記憶手段は、前記第１及び第２の携帯端末装置の初期設定時に前記第１及び第２の相互交換用データを予め用意して前記第１及び第３の記憶部にそれぞれ記憶する手段であることを特徴とする請求項５記載のデータ交換システム。
【請求項７】
前記第２及び第４の記憶部は、それぞれ前記第１及び第２の携帯端末装置がデータ交換用とは無関係なデータを保存する記憶部であることを特徴とする請求項５記載のデータ交換システム。
【請求項８】
前記第１の携帯端末装置は、前記第１の送信手段により選択した前記種類に応じた相互交換用データの送信完了後に、前記第１の受信手段による相互交換用データの受信待ちに自動的に切り替わる制御手段を更に有することを特徴とする請求項５記載のデータ交換システム。
【請求項９】
近距離無線通信又は非接触ＩＣ通信にてデータ交換を行う携帯端末装置であって、
複数の相互交換する情報の種類の相互交換用データを予め第１の記憶部に記憶する第１の記憶手段と、
相互交換用データの送信前に、送信する相互交換用データの前記種類を選択入力した後、送信開始指示の入力を行う入力手段と、
前記送信開始指示により、前記第１の記憶部に記憶された前記相互交換用データの中から、前記入力手段で入力した前記種類に応じた第１の相互交換用データを選択して送信する第１の送信手段と、
対向する携帯端末装置が送信した第２の相互交換用データを受信する受信手段と、
前記受信手段により受信した前記第２の相互交換用データを第２の記憶部に記憶する第２の記憶手段と、
前記受信手段により受信した前記第２の相互交換用データの具体的なデータ内容を示すデータ形式を判別するデータ判別手段と、
前記第１の記憶部に記憶された前記相互交換用データの中から、前記判別手段で判別した前記データ形式と同じデータ形式の相互交換用データを取得して応答送信する第２の送信手段と
を有することを特徴とする携帯端末装置。
【請求項１０】
前記第１及び第２の記憶部は、それぞれデータ交換用とは無関係なデータを保存する記憶部であることを特徴とする請求項９記載の携帯端末装置。
【請求項１１】
前記第１の送信手段による前記第１の相互交換用データの送信完了後に、前記データ受信手段による前記第２の相互交換用データの受信待ちに自動的に切り替わる制御手段を更に有することを特徴とする請求項９記載の携帯端末装置。
【請求項１２】
近距離無線通信又は非接触ＩＣ通信にてデータ交換を行う携帯端末装置に設けられたコンピュータに、
複数の相互交換する情報の種類の相互交換用データを予め第１の記憶部に記憶する第１の記憶ステップと、
相互交換用データの送信前に、送信する相互交換用データの前記種類を選択入力した後、送信開始指示の入力を行う入力ステップと、
前記送信開始指示により、前記第１の記憶部に記憶された前記相互交換用データの中から、前記入力ステップで入力した前記種類に応じた第１の相互交換用データを選択して送信する第１の送信ステップと、
対向する携帯端末装置が送信した第２の相互交換用データを受信する受信ステップと、
前記受信ステップにより受信した前記第２の相互交換用データを第２の記憶部に記憶する第２の記憶ステップと、
前記受信ステップにより受信した前記第２の相互交換用データの具体的なデータ内容を示すデータ形式を判別するデータ判別ステップと、
前記第１の記憶部に記憶した前記相互交換用データの中から、前記データ判別ステップで判別した前記データ形式と同じデータ形式の相互交換用データを取得して応答送信する第２の送信ステップと
を実行させることを特徴とするデータ交換プログラム。
【請求項１３】
前記第１の記憶ステップの処理を、携帯端末装置の初期設定時に行うことを特徴とする請求項１２記載のデータ交換プログラム。
【発明の詳細な説明】
【技術分野】
【０００１】
本発明はデータ交換方法、データ交換システム及び携帯端末装置並びにプログラムに係り、特に携帯端末装置間通信によるデータ交換方法、データ交換システム及び携帯端末装置並びにプログラムに関する。
【背景技術】
【０００２】
携帯電話機が広く普及し、電話番号やメールアドレスといった電話帳データを複数の携帯電話機間で交換することが日常的に行われている。この電話帳データの交換には、赤外線通信やブルーツース(Bluetooth:登録商標)等の近距離通信技術が使われることが多い。
【０００３】
携帯電話機等の携帯端末装置において、赤外線通信等の近距離通信方法でデータを交換する場合には、まず一方の携帯端末装置でデータの送信を行い、他方の携帯端末装置で受信を行って一方向のデータ送受信を完了させ、次に送受信を入れ替えて逆方向のデータ送受信を行う必要がある。従って、上記の電話帳データを交換しようとした場合、データ送信の操作を行って電話帳データを送信した後に、データ受信の操作を行って電話帳データを受信する（他方はデータ受信の後にデータ送信）。
【０００４】
このように、２台の携帯端末装置間で赤外線通信等の近距離通信方法で電話帳データ等のデータ交換を行う場合は、各携帯端末装置においてデータの送信と受信を１回ずつ行う必要があるため手間がかかる。特に、電話帳を交換するといったシーンにおいては、必ずデータの相互交換が必要と予測できるが、上記のような「送信の後に受信」という操作はユーザにとって極めて煩わしい。
【０００５】
そこで、赤外線通信機能を有する携帯電話機において、相手方の携帯電話機から送信される第一のデータを受信し、第二のデータを赤外線通信により送信する赤外線通信部と、第一のデータの受信完了に応じて、第二のデータを送信するように赤外線通信部を制御する制御部とを備えた携帯電話機が提案されている（例えば、特許文献１参照）。この特許文献１記載の携帯電話機によれば、データの受信が完了すると、データを送信するモードに切り替わり、ユーザが選択したデータの送信を開始するため、データ交換のための操作を簡略化できる。
【０００６】
【特許文献１】特開２００７−２２１３５５号公報
【発明の開示】
【発明が解決しようとする課題】
【０００７】
しかしながら、上記の特許文献１記載の携帯電話機においては、データの送受信を行う双方の携帯電話機で、それぞれ送信するデータを選択する方法をとっているため、最初にデータを受信する側の携帯電話機では、受信するデータの選択と、送信するデータの選択の計２回の操作が必要であり、また、送信するデータの選択時には具体的データをわざわざ検索する必要があるため、操作性の向上が十分ではない。
【０００８】
本発明は以上の点に鑑みなされたもので、データ交換を行う双方の携帯端末装置のそれぞれにおける操作性を向上し得るデータ交換方法、データ交換システム及び携帯端末装置並びにプログラムを提供することを目的とする。
【課題を解決するための手段】
【０００９】
上記の目的を達成するため、第１の発明は、第１及び第２の携帯端末装置間で近距離無線通信又は非接触ＩＣ通信にてデータ交換を行うデータ交換方法において、データ交換を行う第１及び第２の携帯端末装置のそれぞれで複数の相互交換する情報の種類の相互交換用データを記憶部に予め記憶する第１のステップと、第１の携帯端末装置において相互交換用データの送信前に、送信する相互交換用データの相互交換する情報の種類を入力する第２のステップと、第１の携帯端末装置が、送信開始指示により第１のステップで記憶した相互交換用データの中から、第２のステップで入力した種類に応じた相互交換用データを選択して送信する第３のステップと、第３のステップで送信された相互交換用データを第２の携帯端末装置が受信して記憶すると共に、受信した相互交換用データの具体的なデータ内容を示すデータ形式を判別する第４のステップと、第２の携帯端末装置が第１のステップで記憶した相互交換用データの中から、第４のステップで判別したデータ形式と同じデータ形式の相互交換用データを取得して第１の携帯端末装置へ応答送信する第５のステップと、第５のステップで応答送信された第２の携帯端末装置の相互交換用データを第１の携帯端末装置が受信して記憶する第６のステップとを含むことを特徴とする。
【００１０】
また、上記の目的を達成するため、第２の発明は、第１及び第２の携帯端末装置間で近距離無線通信又は非接触ＩＣ通信にてデータ交換を行うデータ交換システムにおいて、
上記第１の携帯端末装置は、複数の相互交換する情報の種類の第１の相互交換用データを予め第１の記憶部に記憶する第１の記憶手段と、相互交換用データの送信前に、送信する相互交換用データの相互交換する情報の種類を選択入力する入力手段と、送信開始指示により、第１の記憶部に記憶した第１の相互交換用データの中から、入力手段で選択入力した種類に応じた相互交換用データを選択して送信する第１の送信手段と、第２の携帯端末装置から送信された相互交換用データを受信する第１の受信手段と、第１の受信手段で受信した相互交換用データを第２の記憶部に記憶する第２の記憶手段とを有し、
上記第２の携帯端末装置は、複数の相互交換する情報の種類の第２の相互交換用データを予め第３の記憶部に記憶する第３の記憶手段と、第１の携帯端末装置から送信された相互交換用データを受信する第２の受信手段と、第２の受信手段で受信した相互交換用データを第４の記憶部に記憶する第４の記憶手段と、第２の受信手段で受信した相互交換用データの具体的なデータ内容を示すデータ形式を判別するデータ判別手段と、第３の記憶部に記憶した第２の相互交換用データの中から、判別手段で判別したデータ形式と同じデータ形式の相互交換用データを取得して第１の携帯無線端末装置へ応答送信する第２の送信手段と、を有することを特徴とする。
【００１１】
更に、上記の目的を達成するため、第３の発明は、近距離無線通信又は非接触ＩＣ通信にてデータ交換を行う携帯端末装置であって、複数の相互交換する情報の種類の相互交換用データを予め第１の記憶部に記憶する第１の記憶手段と、相互交換用データの送信前に、送信する相互交換用データの種類を選択入力した後、送信開始指示の入力を行う入力手段と、送信開始指示により、第１の記憶部に記憶された相互交換用データの中から、入力手段で入力した種類に応じた第１の相互交換用データを選択して送信する第１の送信手段と、対向する携帯端末装置が送信した第２の相互交換用データを受信する受信手段と、受信手段により受信した第２の相互交換用データを第２の記憶部に記憶する第２の記憶手段と、受信手段により受信した第２の相互交換用データの具体的なデータ内容を示すデータ形式を判別するデータ判別手段と、第１の記憶部に記憶された相互交換用データの中から、判別手段で判別したデータ形式と同じデータ形式の相互交換用データを取得して応答送信する第２の送信手段とを有することを特徴とする。
【００１２】
また、更に、上記の目的を達成するため、第４の発明は、近距離無線通信又は非接触ＩＣ通信にてデータ交換を行う携帯端末装置に設けられたコンピュータに、複数の相互交換する情報の種類の相互交換用データを予め第１の記憶部に記憶する第１の記憶ステップと、相互交換用データの送信前に、送信する相互交換用データの種類を選択入力した後、送信開始指示の入力を行う入力ステップと、送信開始指示により、第１の記憶部に記憶された相互交換用データの中から、入力ステップで入力した種類に応じた第１の相互交換用データを選択して送信する第１の送信ステップと、対向する携帯端末装置が送信した第２の相互交換用データを受信する受信ステップと、受信ステップにより受信した第２の相互交換用データを第２の記憶部に記憶する第２の記憶ステップと、受信ステップにより受信した第２の相互交換用データの具体的なデータ内容を示すデータ形式を判別するデータ判別ステップと、第１の記憶部に記憶した相互交換用データの中から、データ判別ステップで判別したデータ形式と同じデータ形式の相互交換用データを取得して応答送信する第２の送信ステップとを実行させることを特徴とする。
【発明の効果】
【００１３】
本発明によれば、携帯端末間通信によって相互交換用データの送信と受信を連続して行うことで、送信側携帯端末の１回の操作でデータの交換を行うことができ、操作性を向上できる。
【発明を実施するための最良の形態】
【００１４】
図１は、本発明になるデータ交換システム及び携帯端末装置の原理構成を示すブロック図である。本発明のデータ交換システムは、第１の携帯端末装置１００と第２の携帯端末装置２００との間で近距離無線通信又は非接触ＩＣ通信にてデータ交換を行う。
【００１５】
第１の携帯端末装置１００は、第１の相互交換用データを予め用意して記憶する第１の記憶手段１０１と、相互交換用データの送信時に、送信する相互交換用データの種類を選択する入力手段１０２と、第１の記憶手段に用意した第１の相互交換用データの中から、入力手段１０２で選択入力した種類に応じた相互交換用データを選択して送信する第１の送信手段１０３とを少なくとも有する。
【００１６】
また、第２の携帯端末装置２００は、第２の相互交換用データを予め用意して記憶する第２の記憶手段２０１と、第１の携帯端末装置１００から送信された第１の相互交換用データを受信する第２の受信手段２０２とを少なくとも有する。
【００１７】
なお、第１の携帯端末装置１００は、更に、第２の携帯端末装置２００から送信された第２の相互交換用データを受信する第１の受信手段１０４を有してもよい。また、第２の携帯端末装置２００は、更に、第２の受信手段２０２により第１の相互交換用データを受信した時は、第２の記憶手段２０１に用意した第２の相互交換用データの中から取得した相互交換用データを応答送信する第２の送信手段２０３を有してもよい。この発明は、携帯端末間通信によって相互交換用データの送信と受信を連続して行うことで、送信側携帯端末の１回の操作でデータの交換を行うことができる。
【００１８】
次に、本発明の実施形態について図面を参照して詳細に説明する。
【００１９】
図２は、本発明になるデータ交換システム及び携帯端末装置の一実施形態の概略構成図を示す。本実施形態のデータ交換システムは、携帯端末装置本体１０と携帯端末装置ソフトウェア２０とからなる第１の携帯端末装置Ａと、携帯端末装置本体３０と携帯端末装置ソフトウェア４０とからなる第２の携帯端末装置Ｂとが、赤外線通信やブルーツース(Bluetooth:登録商標)等の近距離無線通信方式や非接触型ＩＣ通信で双方向のデータ送受信可能な位置に配置された構成である。上記の第１の携帯端末装置Ａ、第２の携帯端末装置Ｂは、図１の第１の携帯端末装置１００、第２の携帯端末装置２００に相当する。
【００２０】
携帯端末装置本体１０は、データ送信部１１とデータ受信部１２と表示部１３と入力部１４とメモリ１５とが少なくとも搭載された装置である。データ送信部１１は、相互交換用データを送信するための赤外線通信機器などの装置である。データ受信部１２は、相互交換用データを受信するための赤外線通信機器などの装置である。なお、携帯端末装置本体１０及び３０には、音声通信用の回路部やメール送受信用の回路部などの通常の携帯電話機における回路部も搭載されているが、本実施形態とは直接の関係がないので図示及び説明は省略する。
【００２１】
携帯端末装置ソフトウェア２０は、コンピュータを端末制御部２１、データ交換アプリケーション２２、相互交換用データ記憶部２３として機能させる。端末制御部２１は、データ送信部１１及びデータ受信部１２を制御するための中心となるソフトウェアである。この端末制御部２１は、データ送信部１１及びデータ受信部１２の通信制御や、データ交換アプリケーション２２の動作を制御する機能を持つ。また、端末制御部２１は、データ受信部１２で受信したデータを保存し、データ形式を判別する処理を行う機能や、データ交換アプリケーション２２が選択した相互交換用データをデータ受信部１２に供給して送信させる機能を持つ。
【００２２】
データ交換アプリケーション２２は、相互交換用データ記憶部２３の管理と相互交換用データの送受信を制御するためのソフトウェアである。携帯端末装置Ａが初めて起動されたときに、データ交換アプリケーション２２が動作して相互交換用データ記憶部２３の相互交換用データの用意と設定を行う。
【００２３】
すなわち、データ交換アプリケーション２２は、ユーザの操作によってデータ交換（送→受）が行われる際は、相互交換用データを相互交換用データ記憶部２３から選択する機能を持つ。また、データ交換アプリケーション２２は、データ交換（受→送）する際は、データ受信部１２にて受信したデータを、端末制御部２１を介して相互データ交換用データ記憶部２３に保存する機能を持つ。保存する相互交換用データの形式は、端末制御部２１によって判別される。
【００２４】
また、データ交換アプリケーション２２は、端末制御部２１によって判別したデータ形式と同じ形式のデータを交換用のデータとして端末制御部２１を介してデータ送信部１１へ出力する機能を持つ。更に、データ交換アプリケーション２２は、データの送信（または受信）が終了した後は、続けてデータの受信（または送信）を行うように制御する機能を持つ。相互交換用データ記憶部２３は、データ交換を行う際に交換される電話帳データ２４ａや画像データ２４ｂなどの相互交換用データを記憶し、また読み出される。
【００２５】
なお、上記のデータ交換アプリケーション２２及び相互交換用データ記憶部２３は、図１の第１の記憶手段１０１を構成している。また、入力部１４及び端末制御部２１は、図１の入力手段１０２を構成している。また、データ送信部１１及び端末制御部２１は、図１の第１の送信手段１０３を構成している。更に、データ受信部１２及び端末制御部２１は、図１の第１の受信手段１０４を構成している。
【００２６】
一方、携帯端末装置Ａに対向する携帯端末装置Ｂも、携帯端末装置Ａと同様の構成である。すなわち、携帯端末装置Ｂの携帯端末装置本体３０には、相互交換用データを受信するための赤外線通信機器などのデータ受信部３１と、相互交換用データを送信するための赤外線通信機器などのデータ送信部３２と、表示部３３と、入力部３４と、メモリ３５とが少なくとも搭載されている。
【００２７】
また、携帯端末ソフトウェア４０は、コンピュータを端末制御部４１、データ交換アプリケーション４２、相互交換用データ記憶部４３として機能させる。端末制御部４１は、データ受信部３１及びデータ送信部３２を制御するための中心となるソフトウェアである。データ交換アプリケーション４２は、相互交換用データ記憶部４３の管理と相互交換用データの送受信を制御するためのソフトウェアである。携帯端末装置Ｂが初めて起動されたときに、データ交換アプリケーション４２が動作して相互交換用データ記憶部４３の相互交換用データの用意と設定を行う。相互交換用データ記憶部４３は、データ交換を行う際に交換される電話帳データ４４ａや画像データ４４ｂなどの相互交換用データを記憶し、また読み出される。
【００２８】
かかる構成のデータ交換システムにおいて、ユーザは、送信側の携帯端末装置の初期設定をする際に時計設定と合わせて交換用の電話帳データ（自局の電話番号及びメールアドレスなど）を設定する。そして、交換用の電話帳データを設定した携帯端末装置Ａ及び携帯端末装置Ｂとの間で電話帳データを交換する場合、携帯端末装置Ａでメニュー画面から「データ交換（送→受）」を選択し、携帯端末装置Ｂでメニュー画面から「データ交換（受→送）」を選択する。
【００２９】
データ送信部１１、データ受信部１２、データ受信部３１、及びデータ送信部３２がそれぞれ赤外線通信を行う送信部又は受信部である場合は、データ送信部１１とデータ受信部３１とを向き合わせ、かつ、データ受信部１２とデータ送信部３２とを向き合わせることで、通常の赤外線通信と同様にデータの送受信が相互に行われ、データを交換することができる。
【００３０】
なお、上記のデータ交換アプリケーション４２及び相互交換用データ記憶部４３は、図１の第２の記憶手段２０１を構成している。また、データ受信部３１及び端末制御部４１は、図１の第２の受信手段２０４を構成している。更に、データ送信部３２及び端末制御部４１は、図１の第２の送信手段２０３を構成している。
【００３１】
なお、赤外線通信の場合はデータ受信部１２、３１の操作が必要となるが、非接触型ＩＣカードを利用したデータ通信の場合には、データ送信を受けた受信側の装置が自動的に受信動作を開始するため、受信側の操作が必要ない場合もある。
【００３２】
次に、本実施形態の動作について、図３のフローチャートを併せ参照して説明する。なお、ここでは、近距離無線通信は以下、赤外線通信であるものとして説明する。また、送受信する（交換する）データは、電話帳データであるものとして説明する。
【００３３】
まず、携帯端末装置Ａはユーザにより購入後初めて電源が投入された起動時に（ステップＳ１）、時計設定などのための初期設定のメニュー画面を表示部１３に表示する。ユーザはこの初期設定のメニュー画面に基づいて入力部１４を操作して所定の初期設定を行うが、その際に、相互交換用の電話帳データ（自局の電話番号及びメールアドレスなど）２４ａやユーザ自身の顔写真などの画像データ２４ｂを予め用意して相互交換用データ記憶部２３に記憶する（ステップＳ２）。
【００３４】
同様に、携帯端末装置Ｂもユーザにより購入後初めて電源が投入された起動時に（ステップＳ１１）、表示部３３に初期設定用のメニュー画面を表示し、ユーザの入力部３４の操作により時計設定などの所定の初期設定と共に、相互交換用の電話帳データ（自局の電話番号及びメールアドレスなど）４４ａやユーザ自身の顔写真などの画像データ４４ｂを予め用意して相互交換用データ記憶部４３に記憶する（ステップＳ１２）。
【００３５】
いま、最初に携帯端末装置Ａから携帯端末装置Ｂへ相互交換用データを送信するものとすると、送信側の携帯端末装置Ａのユーザは、入力部１４を操作して具体的なデータを指示せず、相互交換するデータの種類を選択する（ステップＳ３）。このデータの種類とは、例えば、電話帳データ２４ａや画像データ２４ｂなどの具体的な相互交換用データではなく、「電話番号交換」や「顔写真交換」などである。これにより、ユーザは、相互交換用データ記憶部２３から送信する具体的な相互交換用データをわざわざ探す必要がない。ここでは、選択した種類が「電話番号交換」であり、相互交換用データは電話帳データであるものとする。上記のステップＳ３のデータの種類の選択により、端末制御部２１はデータ交換アプリケーション２２により、選択されたデータの種類に対応した相互交換用データを相互交換用データ記憶部２３の読み出し準備をする。
【００３６】
続いて、携帯端末装置Ａのユーザは、入力部１４の送信ボタンを操作して携帯端末装置Ｂを受信側に設定したデータ交換（送信）開始指示を行う（ステップＳ４）。一方、携帯端末装置Ａとの間で赤外線通信にてデータ交換を行う携帯端末装置Ｂのユーザは、携帯端末装置Ａと携帯端末装置Ｂとが近距離にあるので携帯端末装置Ａのユーザの送信操作を察知できる。そこで、携帯端末装置Ｂのユーザは、入力部３４の受信ボタンを操作してデータ交換（受信）開始指示を行う（ステップＳ１３）。
【００３７】
携帯端末装置Ａは、ステップＳ４の送信開始指示に基づき、端末制御部２１がステップＳ３で選択したデータの種類（ここでは、「電話番号交換」）に基づきデータ交換アプリケーション２２により相互交換用データ記憶部２３から読み出した電話帳データ２４ａを入力として受け、それをデータ送信部１１に供給して赤外線通信による送信を開始させる（ステップＳ５）。携帯端末装置Ａは電話帳データ２４ａの送信を完了すると、端末制御部２１が送信完了を検出してデータ交換アプリケーション２２に受信開始を通知する（ステップＳ６）。
【００３８】
一方、携帯端末装置Ｂは、データ受信部３１により携帯端末装置Ａから送信された電話帳データ２４ａの赤外線通信による受信を開始する（ステップＳ１４）。続いて、携帯端末装置Ｂは、端末制御部４１によりデータ受信部３１が受信した電話帳データ２４ａをメモリ３５に保存する処理を行う（ステップＳ１５）。このメモリ３５は、携帯端末装置Ｂのカメラ（図示せず）で撮影したデータや、インターネットでダウンロードしたデータなどが記憶されるメモリである。
【００３９】
続いて、端末制御部４１は受信したデータのデータ形式を判別し、データ交換アプリケーション４２を制御して相互交換用データ記憶部４３から判別したデータ形式と同じ形式のデータを読み出して送信すべきデータとして用意する（ステップＳ１６）。上記のデータ形式としては、電話帳データ（電話番号やメールアドレスのデータ）、静止画像（顔写真のデータ）、動画像（撮影した動画のデータ）、テキストデータ（メモなど単純な文章データ）などがある。ここでは、携帯端末装置Ｂは電話帳データ２４ａを受信するので、端末制御部４１は、データ形式として電話帳データを判別し、データ交換アプリケーション４２により相互交換用データ記憶部４３から電話帳データ４４ａを用意させる。
【００４０】
続いて、端末制御部４１は、データ交換アプリケーション４２から電話帳データ４４ａを受けて送信を開始するようにデータ送信部３２に供給する（ステップＳ１７）。これにより、データ送信部３２は、電話帳データ４４ａの携帯端末装置Ａへの送信を開始する（ステップＳ１８）。
【００４１】
一方、携帯端末装置Ａは、ステップＳ６の受信開始通知に続いて、データ受信部１２によるデータ受信を開始させる（ステップＳ７）。ここで、携帯端末装置Ａは、データ受信部１２が携帯端末装置Ｂからの電話帳データ４４ａを受信できない場合は、指定回数だけ携帯端末装置Ｂに対して公知の方法によりリトライする。リトライにも失敗した場合は、エラー終了する。この場合は、携帯端末装置Ａから携帯端末装置Ｂへの一方向のデータ送受信のみ完了することになり、携帯端末装置Ｂから携帯端末装置Ａへのデータ送受信は行われないことになる。
【００４２】
そして、携帯端末装置Ｂによる電話帳データ４４ａの送信処理が完了すると、携帯端末装置Ｂにおけるデータ交換のすべての手順が終了する（ステップＳ１９）。また、携帯端末装置Ａは、データ受信部１２にて電話帳データ４４ａの受信が完了すると、端末制御部２１が電話帳データ４４ａをメモリ１５に保存する処理を行う（ステップＳ８）。このメモリ１５は、携帯端末装置Ａのカメラ（図示せず）で撮影したデータや、インターネットでダウンロードしたデータなどが記憶されるメモリである。ステップＳ８の受信データ保存処理を実行した後に、携帯端末装置Ａにおけるデータ交換のすべての手順は終了となる（ステップＳ９）。
【００４３】
以上の手順によって相互に電話帳データを交換することが可能となる。また、本実施形態は、上記と同様の手順により電話帳データの替りに写真等の画像データ２４ｂ、４４ｂを交換して、コミュニケーションの手段として役立てることも可能である。
【００４４】
このように、本実施形態では、データ交換時には、最初に相互交換用データを送信する側の携帯端末装置Ａでは、ユーザが相互交換用データの種類を選択するステップＳ３の操作を行うだけで、その選択した種類に応じた相互交換用データを検索して自動的に送信するようにしたため、携帯端末装置Ａのユーザは交換しようとする具体的な相互交換用データをわざわざ検索する操作を不要にでき、また、携帯端末装置Ａの１回の操作だけでデータ交換ができるため操作性を向上できる。
【００４５】
また、本実施形態では、最初の相互交換用データを受信する側の携帯端末装置Ｂは、受信した相互交換用データのデータ形式を判別して、判別したデータ形式に対応した相互交換用データを相互交換用データ記憶部４３から検索して自動的に送信する構成であるため、携帯端末装置Ｂのユーザは送信するデータを意識する必要がなく、ユーザは相互交換用データを送信するための何の操作を行う必要もなく、操作性を向上できる。
【００４６】
更に、本実施形態では、予め用意した各種の種類（データ形式）の相互交換用データと、データの種類の選択とにより、様々なデータ形式のデータ交換を行うことができる。
【００４７】
なお、以上の実施形態の説明では、初期設定時に相互交換用データを用意して記憶しておくように説明したが、本発明はこれに限定されるものではなく、初期設定時以外に後で相互交換用データを追加して記憶しておくことも可能である。
【００４８】
また、以上の実施形態の説明では、赤外線通信によりデータ交換を行うように説明したが、フェリカ（ＦｅｌｉＣａ;登録商標）などの公知の非接触型ＩＣカードによる通信などによるデータ交換も可能である。この場合は、送信側携帯端末装置Ａからデータ送信があると、受信側の携帯端末装置Ｂでは自動的にデータを受信するので、受信側携帯端末装置Ｂでは受信ボタンを押す操作は不要であり、よって、ステップＳ１３は不要となる。
【図面の簡単な説明】
【００４９】
【図１】本発明のデータ交換システム及び携帯端末装置の原理構成を示すブロック図である。
【図２】本発明のデータ交換システム及び携帯端末装置の一実施形態の概略構成図である。
【図３】図２の動作説明用フローチャートである。
【符号の説明】
【００５０】
Ａ、１００  第１の携帯端末装置
Ｂ、２００  第２の携帯端末装置
１０、３０  携帯端末装置本体
１１、３２  データ送信部
１２、３１  データ受信部
１３、３３  表示部
１４、３４  入力部
１５、３５  メモリ
２０、４０  携帯端末装置ソフトウェア
２１、４１  端末制御部
２２、４２  データ交換アプリケーション
２３、４３  相互交換用データ記憶部
２４ａ、４４ａ  電話帳データ
２４ｂ、４４ｂ  画像データ
１０１  第１の記憶手段
１０２  入力手段
１０３  第１の送信手段
１０４  第１の受信手段
２０１  第２の記憶手段
２０２  第２の受信手段
２０３  第２の送信手段
【図１】
0005413941.tif 000002
【図２】
0005413941.tif 000003
【図３】
0005413941.tif 000004